(57)【要約】【課題】欠損や変形を有効に防止するケージ蓋及びそのケージ蓋を備えた動物飼育用のケージを提供する。【解決手段】  略矩形の枠状に形成された枠部２１と、前記枠部の内縁における一方の対向辺間を接続するように互いに略平行に所定間隔を置いて配置された多数本の縦桟２５及び前記縦桟２５と交差する複数本の横桟２６が垂直に交差するように格子状に形成された格子部２４とを備え、上面が開口した箱状のケージ本体３０の上面開口部を覆う合成樹脂製のケージ蓋２０であって、前記格子部２４の四隅に、前記縦桟２５と前記横桟２６との隙間領域である矩形開口部２７の開口を塞ぐ閉鎖部２８を設ける。この構成により、動物飼育用のケージ１０の欠損や変形を有効に防止するケージ蓋２０及びそれを備える動物飼育用のケージ１０が提供できる。【選択図】  図１
2017205026.tif 000002
【特許請求の範囲】
【請求項１】
略矩形の枠状に形成された枠部と、前記枠部の内縁における一方の対向辺間を接続するように互いに略平行に所定間隔を置いて配置された多数本の縦桟及び前記縦桟と交差する複数本の横桟が垂直に交差するように格子状に形成された格子部とを備え、上面が開口した箱状のケージ本体の上面開口部を覆う合成樹脂製のケージ蓋であって、
前記格子部の四隅に、前記縦桟と前記横桟との隙間領域である矩形開口部の開口を塞ぐ閉鎖部を備えることを特徴とするケージ蓋。
【請求項２】
前記閉鎖部が、前記格子部の四隅の矩形開口部をそれぞれ平面視で３．５ｃｍ四方以上塞ぐように形成されるとともに、前記格子部の開口面積の和である総開口面積と前記閉鎖部の面積の和である総閉鎖面積の割合が、約８：１以下となるように形成されていることを特徴とする請求項１に記載のケージ蓋。
【請求項３】
前記ケージ蓋が、さらに、前記枠部の内縁に沿って、前記格子部を囲むように形成された凸条部を備え、格子部の縦桟及び横桟と凸条部とが一体的に形成されていることを特徴とする請求項１または２に記載のケージ蓋。
【請求項４】
前記格子部が、前記多数本の縦桟が概略Ｖ字状に屈曲して、ケージ本体内に下方に向けて、突出するよう形成され、略矩形状をなした前記枠部の一つの辺から下方に向かって傾斜した第一の傾斜面と、前記第一の傾斜面の下端部から、前記枠部の前記一つの辺に対向する前記枠部の辺に向かって、上方に向けて傾斜した第二の傾斜面を備えた給餌用の凹陥部を備え、前記第一の傾斜面の傾斜が前記第二の傾斜面の傾斜よりも緩やかに形成され、前記閉鎖部が、前記第一の傾斜面に形成されていることを特徴とする請求項１ないし３のいずれか１項に記載のケージ蓋。
【請求項５】
前記格子部が、さらに、ケージ本体内へ垂下するように形成された棒状の齧り部を備えていることを特徴とする請求項４に記載のケージ蓋。
【請求項６】
請求項１ないし５のいずれか１項に記載のケージ蓋を備えた動物飼育用ケージ。
【発明の詳細な説明】
【技術分野】
【０００１】
本発明は、例えば、ケージ蓋及びそのケージ蓋を備えた動物飼育用のケージに関するものであり、特に、齧歯類の動物を飼育するのに適したケージ蓋及びそのケージ蓋を備えた動物飼育用のケージに関するものである。
【背景技術】
【０００２】
従来、ケージ蓋及びケージ蓋を備えた動物飼育用のケージとして、上面が開口した箱型のケージ本体に、金属製のケージ蓋を被せたものが知られている（例えば、特許文献１参照）。このように構成されたケージ蓋は、複数本の縦桟及び横桟が互いに交差するように配置され、複数本の縦桟及び横桟によって格子状に形成された格子部を備えている。
更に、近年、より製造容易で軽量なケージの提供を目的として、ケージ蓋の素材を、金属に代えて、合成樹脂で形成したものが提案されている（例えば、特許文献２参照）。
【先行技術文献】
【特許文献】
【０００３】
【特許文献１】実願平１−５８５２４
【特許文献２】特開２０１２−２１５４０３号公報
【発明の概要】
【発明が解決しようとする課題】
【０００４】
しかしながら、合成樹脂製のケージ蓋は、金属製のケージ蓋に比べて強度が劣っている。そのため、金属製のケージ蓋と比べ、使用により欠損や変形が生じやすいという問題があった。
殊に、複数本の縦桟及び横桟によって格子状に形成された格子部は隙間が多いため、格子部を備えたケージ蓋は強度が弱く、この問題が顕著であった。
特に、齧歯類のマウス、ラット等の小型動物を飼育する場合、これらの小型動物は、隅を移動する習性があり、かつ、硬いものをかじって、前歯をすり減らす習性があるため、ケージ蓋の四隅が齧られて欠損を生じやすい。
また、オートクレーブ（蒸気滅菌器）により、ケージ蓋に高温高圧の蒸気滅菌を施すと、高温に晒された合成樹脂製のケージ蓋は、その熱可塑性により軟化し、変形しやすいという問題があった。
殊に、実験動物を飼育する場合に、ケージ蓋の欠損や変形が大きくなったために、実験動物が飼育用ケージから逃亡すると、クロスコンタミネーションの原因にもなりかねず、深刻な問題になっていた。
【０００５】
したがって、本発明の目的は、欠損や変形を効果的に防止することができるケージ蓋を提供することにある。
本発明の他の目的は、欠損や変形を効果的に防止することができるケージ蓋を備えた動物飼育用のケージを提供することにある。
【課題を解決するための手段】
【０００６】
本発明のかかる目的は、略矩形の枠状に形成された枠部と、前記枠部の内縁における一方の対向辺間を接続するように互いに略平行に所定間隔を置いて配置された多数本の縦桟及び前記縦桟と交差する複数本の横桟が垂直に交差するように格子状に形成された格子部とを備え、上面が開口した箱状のケージ本体の上面開口部を覆う合成樹脂製のケージ蓋であって、
前記格子部の四隅に、前記縦桟と前記横桟との隙間領域である矩形開口部の開口を塞ぐ閉鎖部を備えることを特徴とするケージ蓋によって解決される。
【０００７】
本発明によれば、記格子部の四隅に、前記縦桟と前記横桟との隙間領域である矩形開口部の開口を塞ぐ閉鎖部を備えるため、飼育動物が、ケージ蓋の四隅を齧ることが防止され、ケージ蓋の欠損を防止することが可能になり、さらに、ケージ蓋の強度を向上させ、変形を防止することができる。
【０００８】
本発明の好ましい実施態様においては、前記閉鎖部が、前記格子部の四隅の矩形開口部をそれぞれ平面視で３．５ｃｍ四方以上塞ぐように形成されるとともに、前記格子部の開口面積の和である総開口面積と前記閉鎖部の面積の和である総閉鎖面積の割合が、約８：１以下となるように形成されている。
【０００９】
本発明のこの好ましい実施態様によれば、格子部の四隅の矩形開口部をそれぞれ平面視で３．５ｃｍ四方以上塞ぐように形成されているため、体長約７ｃｍ程度のマウス、ラット等の齧歯類の小型動物を飼育する場合に、飼育動物がケージ蓋の四隅を齧ることをさらに効果的に防止することができる。また、総開口面積と総閉鎖面積の割合が、約８：１以下となるように形成されているため、ケージ本体内の通気性及び視認性も良好にすることができる。
【００１０】
本発明のさらに好ましい実施態様においては、前記ケージ蓋が、さらに、前記枠部の内縁に沿って、前記格子部を囲むように形成された凸条部を備え、格子部の縦桟及び横桟と凸条部とが一体的に形成されている。
【００１１】
本発明のこの好ましい実施態様によれば、ケージ蓋が、さらに、前記枠部の内縁に沿って、前記格子部を囲むように形成された凸条部を備え、格子部の縦桟及び横桟と凸条部とが一体的に形成されているため、ケージ蓋の強度を向上し、変形を防止できる。
【００１２】
本発明のさらに好ましい実施態様においては、前記格子部が、前記多数本の縦桟が概略Ｖ字状に屈曲して、ケージ本体内に下方に向けて、突出するよう形成され、略矩形状をなした前記枠部の一つの辺から下方に向かって傾斜した第一の傾斜面と、前記第一の傾斜面の下端部から、前記枠部の前記一つの辺に対向する前記枠部の辺に向かって、上方に向けて傾斜した第二の傾斜面を備えた給餌用の凹陥部を備え、前記第一の傾斜面の傾斜が前記第二の傾斜面の傾斜よりも緩やかに形成され、前記閉鎖部が、前記第一の傾斜面に形成されている。
【００１３】
本発明のこの好ましい実施態様によれば、前記第一の傾斜面の傾斜が前記第二の傾斜面の傾斜よりも緩やかに形成され、前記閉鎖部が、前記第一の傾斜面に形成されているため、飼育動物が前記凹陥部を齧る事態を効果的に防止することができ、ケージ蓋の欠損が防止される。
【００１４】
本発明のさらに好ましい実施態様においては、前記格子部が、さらに、ケージ本体内へ垂下するように形成された棒状の齧り部を備えている。
【００１５】
本発明のこの好ましい実施態様によれば、格子部がさらに、ケージ本体内へ垂下するように形成された縦長棒状の齧り部を備えているから、飼育動物が齧り部を齧ることによって、飼育動物のストレスを解消させることができる。
【００１６】
本発明の前記目的はまた、前記ケージ蓋を備えた動物飼育用ケージによって達成される。
【発明の効果】
【００１７】
本発明によれば、欠損や変形を効果的に防止することができるケージ蓋を提供することが可能になる。
また、本発明によれば、欠損や変形を効果的に防止することができるケージ蓋を備えた動物飼育用のケージを提供することが可能になる。
【図面の簡単な説明】
【００１８】
【図１】図１は、本発明の好ましい実施の形態にかかるケージ蓋を備えた動物飼育用のケージの略斜視図である。
【図２】図２は、図１に示された動物飼育用ケージのケージ蓋の略平面図である。
【図３】図３は、図２のＡ−Ａ線略断面図である。
【図４】図４は、図１に示された動物飼育用ケージのヒンジ部近傍の略断面図である。
【図５】図５は、本発明の他の好ましい実施の形態にかかるケージ蓋を備えた動物飼育用のケージの略縦断面図である。
【発明を実施するための形態】
【００１９】
以下、添付図面を参照して、本発明の好ましい実施の形態につき詳細に説明する。
【００２０】
図１は本発明の好ましい実施の形態にかかるケージ蓋を備えた動物飼育用のケージの略斜視図であり、図２は、図１に示された動物飼育用ケージのケージ蓋の略平面図である。
なお、以下においては、便宜上、動物飼育用ケージ１０に収容する飼育動物が、体長約７ｃｍ程度のマウス、ラット等の齧歯類の小型動物である場合につき説明を加える。
【００２１】
図１に示されるように、動物飼育用ケージ１０は、飼育動物を収容するためのケージ本体３０と、ケージ本体３０に着脱自在に装着することができ、ケージ本体３０の上面を覆うケージ蓋２０を備えている。
【００２２】
ケージ本体３０は、矩形状の底部３１と、底部３１の四辺から上方に立ち上がるように形成された４面の周壁部３２ａ、３２ｂとを備え、上面が開口した箱体形状をなしている。
【００２３】
周壁部３２は、長辺側の縦側壁３２ａ，３２ａと短辺側の横側壁３２ｂ，３２ｂを備え、横側壁３２ｂの中央上部に係合突起３２ｃ，３２ｃを備えている。係合突起３２ｃは、横側壁３２ｂから水平方向に延びるように形成された突起である。
【００２４】
ケージ本体３０は、内部を透視して観察しやすいように透明なプラスチック材料によって形成され、例えば、ポリカーボネート、ポリプロピレン、ポリオレフィン等の熱可塑性樹脂によって形成されている。
【００２５】
ケージ蓋２０は、平面視で略矩形の枠状に形成された枠部２１と、枠部２１の外縁から垂下した周縁片２２と、枠部２１の内縁に形成された凸条部２３と、多数本の縦桟２５および複数本の横桟２６を備えている。
【００２６】
縦桟２５は、枠部２１の短辺２４ａ間を接続するように互いに略平行に所定間隔を置いて多数本配置されている。横桟２６は、枠部２１の長辺２４ｂ間を接続するように互いに略平行に所定間隔を置いて複数本配置され、縦桟２５と交差するように一体形成されている。このように構成された多数本の縦桟２５及び複数本の横桟２６によって格子部２４が形成されている。
【００２７】
格子部２４は、一端部側に、給餌用の凹陥部２９を備えている。凹陥部２９は、ケージ本体３０内へ突出するよう縦桟２５が断面略Ｖ字状に形成された部分であり、両縦側壁３２ａ，３２ａ付近の縦桟２５から凹陥部２９と相似の概略三角形状に一体に延出する側壁板部２９ｂと、凹陥部２９に一体形成された給水管挿入口２９ｃとを備えている。また、枠部２１はヒンジ部２１ａ及びロック板２１ｂによって、ケージ本体３０に固定可能に構成されている。
【００２８】
図２は、図１に示された動物飼育用ケージのケージ蓋の略平面図である。
図２に示されるように、枠部２１の内縁は略矩形状をなし、内縁に沿って格子部２４を囲むように上方へ隆起した凸条部２３が形成されている。
【００２９】
このように、本実施態様においては、枠部２１の内縁に沿って、格子部２４を囲むように隆起した凸条部２３が形成されているので、枠部２１の強度を向上させることができる。したがって、ケージ蓋２０をオートクレーブ（蒸気滅菌器）により、高温高圧の蒸気滅菌を行うと、高温に晒された合成樹脂製のケージ蓋２０が軟化するが、本実施態様においては、凸条部２３が形成されているため、枠部２１の変形が防止される。また、格子部２４には開口が多数設けられているから、その強度が低いが、本実施態様においては、格子部２４を囲むように隆起した凸条部２３が形成されているから、格子部２４の中央部の強度低下を補うことができる。したがって、ケージ蓋２０を蒸気滅菌して繰り返し使用する場合にも、枠部２１が徐々に変形して、ケージ蓋２０の装着時にケージ本体３０との間に隙間が生じる等の不具合が生じることを効果的に防止することができる。これにより、ケージ蓋２０の繰返しの使用に対する耐用性が向上する。加えて、蒸気滅菌時のみならず、通常の使用時においても、凸条部２３を設けることによって、枠部２１の強度が向上するから枠部２１の割れ等を効果的に防止することができる。
【００３０】
また、縦桟２５及び横桟２６の両端は、凸条部２３と連続するように一体形成されており、枠部２１の厚みよりも、凸条部２３、縦桟２５及び横桟２６の厚みを大きくして形成し、格子部２１の強度を向上する構成としている。
【００３１】
格子部２１は、縦桟２５と横桟２６との隙間領域である平面視で矩形状の開口部（以下、矩形開口部２７という）が複数形成されているが、格子部２４の四隅Ｃには、四隅Ｃから所定の範囲にある矩形開口部２７の開口を塞ぐように、縦桟２５及び横桟２６と一体形成された閉鎖部２８を備えている。
【００３２】
図３は、図２のＡ−Ａ線断面図である。図３に示されるように、凹陥部２９は、枠部２１の一方の短辺２４ａ近傍に位置する一方の傾斜面２９ｓが、枠部２１の一方の短辺２４ａから遠い位置にある傾斜面２９ｅに対し緩やかに形成される。そして、凹陥部２９の枠部２１の短辺２４ａ側に位置する傾斜面２９ｓの始端ｓにおける屈曲角度（図中のθ１）は、凹陥部２９の枠部２１の短辺２４ａから遠い位置にある傾斜面２９ｅの終端ｅにおける屈曲角度（図中のθ２）よりも小さくなるように設定されている。
すなわち、枠部２１の一方の短辺２４ａ側に位置する傾斜面２９ｓが、枠部２１の一方の短辺２４ａから遠い位置にある傾斜面２９ｅよりもゆるやかな傾斜を有するように構成されている。例えば、θ１の屈曲角度は３０°であり、θ２の屈曲角度は６０°である。
【００３３】
給水管挿入口２９ｃは、凹陥部２９の傾斜面を形成する縦桟２５と一体形成されたもので、傾斜方向に長い略楕円状の挿入口である。給水管挿入口２９ｃは、給水器の給水管（図示せず）をケージ本体３０内に挿入した状態で、給水器を支持可能とする。給水管挿入口２９ｃを傾斜方向に長い略楕円状に形成しているので、給水管をケージ本体３０内に挿入しやすくするとともに、給水管挿入口２９ｃの長手方向に沿って給水管の位置をずらすことによって、給水管の先端の位置が調節可能であり、したがって、ケージ蓋２０の利便性を向上させることができる。
【００３４】
閉鎖部２８は、ケージ蓋１の格子部２４の四隅Ｃに設けられている。つまり、閉鎖部２８は、四隅Ｃから所定の範囲内にある矩形開口部２７を塞ぐように設けられる。
一般に、飼育動物を、上面が開口した箱状の飼育用ケージ１０に収容すると、飼育動物にはケージ蓋の四隅Ｃ近傍を齧る習性がある。そして、飼育動物は自分の体が安定した状態で、上方の物を齧ることを好む習性がある。そのため、閉鎖部２８が設けられていない場合には、飼育動物は、ケージ本体３０の四隅に寄りかかり体重をかけて二本足立ちして、上方に体を伸ばすことで、下顎が届く範囲内にある矩形開口部２７から下顎を突き出して、縦桟２５および／または横桟２６を齧るおそれが高い。
【００３５】
そこで、本実施形態では、格子部１３の四隅Ｃから所定の範囲内にある矩形開口部２７を閉鎖部２８によって塞ぐことによって、飼育動物が、矩形開口部２７から下顎を突き出して格子部２４を齧ることが困難になるように構成されている。これにより、飼育動物が格子部２４を齧ることによって生じるケージ蓋２０の欠損を効果的に防止することができる。加えて、閉鎖部２８は、縦桟２５及び横桟２６と一体形成されているため、格子部２４の強度を向上し、これにより、変形が防止される。
【００３６】
また、図３に示されるように、凹陥部２９は、縦桟２５がケージ本体３０内に向かって突出するよう形成されているため、横側壁３２ｂ寄りに位置する凹陥部２９の始端ｓから一方の短辺２４ａ側の傾斜面２９ｓにかけては、飼育動物がケージ本体３０の四隅に寄りかかった状態で下顎が届き易くなるため、縦桟２５および／または横桟２６が齧られ易くなる。しかるに、本実施形態においては、枠部２１の一方の短辺２４ａ側に位置する傾斜面２９ｓが、枠部２１の一方の短辺２４ａから遠い位置にある傾斜面２９ｅよりもゆるやかな傾斜を有する構成としているので、飼育動物がケージ本体３０の四隅に寄りかかった状態で、傾斜面２９ｓの縦桟２５および／または横桟２６に下顎が届きにくくなる。さらに、凹陥部２９の傾斜面に渡って、矩形開口部２７を塞ぐように閉鎖部２８が形成されているから（図２参照）、凹陥部２９における傾斜面２９ｓの縦桟２５および／または横桟２６が飼育動物に齧られることを効果的に防止することができる。
【００３７】
縦桟２５及び横桟２６を、表面が滑らかで、直径５ｍｍ以上の略円形断面を有する棒状部材によって構成すれば、飼育動物が縦桟２５および／または横桟２６にぶら下がったり、縦桟２５および／または横桟２６を齧ったりすることが困難となり、好適である。その場合、互いに隣り合った縦桟２５の間隔が５〜６ｍｍ程度となるように形成すると、動物飼育用ケージ１０内の十分な視認性と通気性を確保することができ、好ましい。また、互いに隣り合った横桟２６の間隔は、互いに隣り合った縦桟２５の間隔より広く形成することが、視認性と通気性を良好なものとする上で好ましい。
【００３８】
図３に示された、凹陥部２９の一方の短辺２４ａ側の端部と横側壁３２ｂとの距離ｄは、３ｃｍ以上であることが望ましい。距離ｄが３ｃｍよりも小さい場合、飼育動物がケージ本体３０の四隅に寄りかかる際に、飼育動物が頭部を凹陥部２９及び横側壁３２ｂの間に挟むようにして固定し、凹陥部２９を齧りやすくなるため、これを防止するためである。
【００３９】
ここで、ケージ蓋１０の凸条部２３で囲まれる格子部２４の総面積に対する閉鎖部２８の総面積の割合は、約９：１以下とすることが望ましい。換言すれば、格子部２１の開口の面積の和である総開口面積に対する、閉鎖部２８の面積の和である総閉鎖面積の割合は、約８：１以下とすることが望ましい。この構成によれば、格子部２４に閉鎖部２８を設けても、通気性及び視認性が良好に確保できる。
【００４０】
閉鎖部２８は、格子部２４の四隅Ｃから３．５ｃｍ四方以上の矩形開口部２７を塞ぐように設けることが好ましい。これは、一般に多く流通されている飼育動物用のケージにおいては、飼育動物の体躯を考慮して、その高さが１２〜１５ｃｍ程度に設けられているため、飼育動物が、ケージ本体３０の四隅に寄りかかり体重をかけて二本足立ちして、上方に体を伸ばした状態で、下顎が届く範囲が、最大でも、格子部２４の四隅Ｃから３ｃｍ程度であることによる。したがって、閉鎖部２８を格子部２４の四隅Ｃから３．５ｃｍ四方以上設けておけば、一般に多く流通されている飼育動物用のケージにおいて、飼育動物による縦桟２５および／または横桟２６の齧りを好適に防止できるため、ケージ蓋２０の汎用性も増すこととなる。
【００４１】
また、ケージ蓋２０は、ガラス繊維強化樹脂によって形成することが望ましい。ガラス繊維強化樹脂は、ステンレス等の金属素材より軽いので、大量に運搬することができ、さらに、ガラス繊維強化樹脂は加工が容易で、溶接剥がれや安全対策が必要なバリなどが生じないという利点がある。
【００４２】
なお、ケージ蓋２０を、着色された樹脂で形成すると、飼育動物の個体識別、移し替え時の間違い防止等に効果的である。
【００４３】
図４は、図１に示された動物飼育用ケージのヒンジ部２１の近傍の略断面図である。
図４に示されるように、ケージ本体３０の周壁部３２の上端部に、水平方向の外側に張り出すようにフランジ部３３が一体的に形成されている。枠部２１は、両短辺２４ａの中間部分に設けられたヒンジ部２１ａを介して、回動可能に接続されたロック板２１ｂを備えている。
【００４４】
ケージ蓋２０をケージ本体３０に装着するときには、ロック板２１ｂが、ヒンジ部２１ａを軸に回動され、ロック板２１ｂの先端に設けられた爪がケージ本体３０に係止される。これにより、ケージ本体３０にケージ蓋２０を装着し、固定することができ、ケージ蓋２０が誤って外れてしまうことを確実に防止することができる。
なお、ケージ蓋２０のうち、ロック板２１ｂを、色の異なる樹脂によって形成すれば、異なる動物を飼育する数多くの動物飼育用のケージを識別することが可能となる。
【００４５】
本実施形態によれば、格子部２１の四隅に、縦桟２５及び横桟２６間の隙間領域である矩形開口部２７の開口を塞ぐ閉鎖部２８が設けられているので、飼育動物がとくに齧りやすいケージ蓋２０の四隅を飼育動物が齧ることを防止することができ、したがって、ケージ蓋２０の欠損を防止することが可能になり、さらに、ケージ蓋２０の強度を向上させ、変形を防止することができる。
【００４６】
また、本実施形態によれば、閉鎖部２８が、格子部２４の四隅の矩形開口部２７をそれぞれ平面視で３．５ｃｍ四方以上塞ぐように形成されているから、体長約７ｃｍ程度のマウス、ラット等の齧歯類の小型動物を飼育する場合に、飼育動物がケージ蓋２０の四隅を齧ることを効果的に防止することができ、また、矩形開口部の総開口面積と閉鎖部の総閉鎖面積の割合が、約８：１以下となるように形成されているため、ケージ本体３０内の通気性及び視認性も良好にすることができる。
【００４７】
さらに、本実施形態によれば、ケージ蓋２０が、さらに、前記枠部２１の内縁に沿って、前記格子部２１を囲むように形成された凸条部２３を備え、格子部２１の縦桟２５及び横桟２６と凸条部２３とが一体的に形成されていることをから、ケージ蓋２０が変形することを効果的に防止することが可能になる。
【００４８】
また、本実施形態によれば、格子部２４が、多数本の縦桟２５が概略Ｖ字状に屈曲して、ケージ本体３０内に下方に向けて、突出するよう形成され、略矩形状をなした枠部２１の一方の短辺２４ａから下方に向かって傾斜した第一の傾斜面２９ａと、第一の傾斜面２９ｓの下端部から、枠部２１の他方の短辺２４ａに向かって、上方に向けて傾斜した第二の傾斜面２９ｅを備えた給餌用の凹陥部２９を備え、第一の傾斜面２９ｓの傾斜が第二の傾斜面２９ｅの傾斜よりも緩やかに形成されているから、飼育動物が凹陥部２９を齧る事態を効果的に防止することができ、ケージ蓋２０の欠損が防止される。
【００４９】
図５は、本発明の他の好ましい実施の形態にかかるケージ蓋を備えた動物飼育用のケージの略縦断面図である。
図５に示されるように、本実施形態においては、格子部２４に、ケージ本体３０内へ垂下する棒状齧り部４０が形成されている。
一般に、ケージ蓋１０に飼育動物が齧ることを防止する手段を設けたときは、飼育動物がストレスを感じやすいが、本実施形態においては、格子部２４に飼育動物が齧る部分が設けられているから、飼育動物がストレスを感じることを防止することができる。
更に、齧り部４０が棒状であるので、飼育動物が齧り部４０を握持して、齧りやすいため、飼育動物がストレスを感じることを効果的に防止することができる。
【００５０】
また、本実施形態においては、閉鎖部２８の下面に、複数の円錐状の突起４１が設けられている。このように、本実施形態においては、閉鎖部２８の下面に、複数の円錐状の突起４１が設けられているので、飼育動物が、ケージ蓋２０だけでなく、ケージ本体３０の上端部を齧ることも効果的に防止することができる。なお、この突起の形状は、円錐状の他、四角錐状や円柱状など種々のものを採用できる。
【００５１】
本発明は、以上の実施態様に限定されることなく、特許請求の範囲に記載された発明の範囲内で種々の変更が可能であり、それらも本発明の範囲内に包含されるものであることはいうまでもない。
【００５２】
前記実施形態においては、体長約７ｃｍ程度のマウス、ラット等の齧歯類の小型動物を動物飼育用ケージ１０に収容して、飼育するように構成されているが、本発明にかかる動物飼育用ケージ１０は、齧歯類以外の動物にも適用することできる。
また、前記実施形態においては、枠部２１の外縁から垂下した周縁片２２が設けられているが、周縁片２２の下端部に、全周にわたって、水平方向に向けて外側に張り出すよう一体形成した周縁凸条部を設けてもよい。このように構成することによって、ケージ蓋２０の繰り返しの使用により、周縁片２２が変形し、ケージ蓋２０がケージ本体３０に装着できなくなる等の不都合が生じることを効果的に防止することができ、ケージ蓋２０の耐用性をさらに向上させることが可能になる。
【符号の説明】
【００５３】
１０  動物飼育用ケージ
２０  ケージ蓋
２１  枠部
２１ａ  ヒンジ部
２１ｂ  ロック板
２２  周縁片
２３  凸条部
２４  格子部
２５  縦桟
２６  横桟
２７  矩形開口部
２８  閉鎖部
２９  凹陥部
２９ｂ  側壁板部
２９ｃ  給水管挿入口
３０  ケージ本体
３１  底部
３２  周壁部
３２ａ  縦側壁
３２ｂ  横側壁
３２ｃ  係合突起
３３  フランジ部
４０  齧り部
４１  突起
【図１】
2017205026.tif 000003
【図２】
2017205026.tif 000004
【図３】
2017205026.tif 000005
【図４】
2017205026.tif 000006
【図５】
2017205026.tif 000007